(57)【要約】【課題】引出し扉の組立に取付部品が不要であり、内板との間の無効空間を削減し、その分、収納容積の拡大や断熱層の増大が可能な冷蔵庫を提供する。【解決手段】扉体２と、この扉体の背面側に固定され庫内方向に突出された一対の支持枠３と、この一対の支持枠に保持され上記扉体を進退させることで上記庫内に出し入れされる上面が開放された収納ケース５を有する引出し扉１を備え、上記収納ケースは、正面から見て左右の側壁５１、５２の各上端部及び奥壁５３の上端部にそれぞれフランジ部が形成され、前壁５４が上記扉体の背面側に設けられた内板２２に当接し得るように形成されていることを特徴とする。【選択図】図１
2010281542.tif 000002
【特許請求の範囲】
【請求項１】
扉体と、この扉体の背面側に固定され庫内方向に突出された一対の支持枠と、この一対の支持枠に保持され上記扉体を進退させることで上記庫内に出し入れされる上面が開放された収納ケースを有する引出し扉を備え、上記収納ケースは、正面から見て手前側の前壁が上記扉体の背面側に設けられた内板に当接し得るように形成されていることを特徴とする冷蔵庫。
【請求項２】
上記前壁に切欠き部または貫通された穴が形成されてなり、上記内板が上記切欠き部または上記穴の部分の前壁を兼ねるように形成されていることを特徴とする請求項１に記載の冷蔵庫。
【請求項３】
上記内板は、上記切欠きまたは上記貫通穴に入り込むように庫内方向に突出されていることを特徴とする請求項２に記載の冷蔵庫。
【請求項４】
上記内板と上記収納ケースとが互いに係合することにより上記収納ケースの撓みを抑制する係合手段を備えてなることを特徴とする請求項１から請求項３の何れかに記載の冷蔵庫。
【請求項５】
上記係合手段は、上記収納ケースの底面を支持し得るように上記内板から庫内方向に突出された凸部と、上記収納ケースの底面に設けられた上記凸部との係合面からなることを特徴とする請求項４に記載の冷蔵庫。
【請求項６】
上記凸部と上記係合面に、上記収納ケースの引き出し方向の移動を規制し得る係止部を設けたことを特徴とする請求項５に記載の冷蔵庫。
【請求項７】
上記一対の支持枠と上記収納ケースのフランジ部の間に係止手段を設けたことを特徴とする請求項１から請求項６の何れかに記載の冷蔵庫。
【請求項８】
上記収納ケースの前壁の上端部に前面フランジ部が設けられ、上記内板に該前面フランジ部を受け入れる凹部を設けたことを特徴とする請求項１から請求項７の何れかに記載の冷蔵庫。
【発明の詳細な説明】
【技術分野】
【０００１】
この発明は、引出し扉を有する冷凍冷蔵庫等の冷蔵庫に関するものであり、特に貯蔵室の無効空間を削減した冷蔵庫に関するものである。
【背景技術】
【０００２】
冷蔵庫の引出し扉は、一般的に扉と扉裏側に設けられた金属製の支持枠とガスケット、支持枠に載置された収納ケースと支持枠を保持する連結棒で構成されている。収納ケースは扉と支持枠と連結棒により構成された枠の間に配設される。収納ケースの上端部には、剛性を確保する目的で全周にフランジが形成されている。従来の技術として、扉側に取付けられる容器に、レール及び可動ローラを一体に取付け、該容器を扉体に取付けることで、部品の原価低減を図ると共に、野菜容器等の幅を大きくすることで野菜容器等の内容積拡大を図るようにしたものがある（例えば特許文献１参照）。
【先行技術文献】
【特許文献】
【０００３】
【特許文献１】特開２００１−１１６４４６号公報（第１頁、図１）
【発明の概要】
【発明が解決しようとする課題】
【０００４】
上記のような従来の技術においては、幅を大きくすることができるものの、収納ケースの前方側の縁に設けたフランジが収納ケース前壁と扉裏側の内板間に無効空間を生じさせるという課題があった。また、補強鉄板やネジ等の取り付け部品で扉裏側の内板と収納ケースを一体化しているため、清掃時など収納ケースの取り外しにおいては利便性が劣る。また、取付部品などがコスト高の要因になるなどの課題があった。
【０００５】
この発明は上記のような従来技術の課題を解消するためになされたものであり、収容ケースの着脱に取付部品が不要であり、しかも内板との間の無効空間が削減され、その分、収納容積の拡大や断熱層の増大が可能な冷蔵庫を提供することを目的としている。
【課題を解決するための手段】
【０００６】
この発明に係る冷蔵庫は、扉体と、この扉体の背面側に固定され庫内方向に突出された一対の支持枠と、この一対の支持枠に保持され上記扉体を進退させることで上記庫内に出し入れされる上面が開放された収納ケースを有する引出し扉を備え、上記収納ケースは、正面から見て手前側の前壁が上記扉体の背面側に設けられた内板に当接し得るように形成されてなるものである。
【発明の効果】
【０００７】
この発明によれば、収納ケースの前壁が扉体の背面側に設けられた内板に当接し得るように形成したので、収納ケースの前壁と扉体背面の内板の間に形成される無効空間が削減される。このため、収納容積の拡大が図れ、断熱性能の向上も可能となる。また、取付部品が不要なため、コスト増を招くこともない。
【図面の簡単な説明】
【０００８】
【図１】本発明の実施の形態１に係る冷蔵庫の引出し扉を概念的に示す要部斜視図。
【図２】図１に示された引出し扉のＩＩ−ＩＩ線に相当する矢視断面図。
【図３】実施の形態１において支持枠と収納ケースのフランジ部の間に係止手段を設けたときの例を示す要部斜視図。
【図４】図１に示された内板と収納ケースに設けられた係合手段を示す要部断面図。
【図５】本発明の実施の形態２に係る冷蔵庫の引出し扉を概念的に示す要部斜視図。
【図６】本発明の実施の形態３に係る冷蔵庫の引出し扉における収納ケースの前壁に設けられた前面フランジ部と内板に設けられた凹部との嵌合状態を示す要部断面図。
【図７】本発明の実施の形態４に係る冷蔵庫の引出し扉における収納ケースの底部と内板に設けられた係合手段を構成する係止部を示す要部断面図。
【図８】本発明の実施の形態５に係る冷蔵庫の引出し扉を概念的に示す要部斜視図。
【発明を実施するための形態】
【０００９】
実施の形態１．
以下、この発明の実施の形態１に係る冷蔵庫について図１〜図４を参照して説明する。冷蔵庫本体の前面開口部から庫内（何れも図示省略）に出し入れ可能に設けられる引出し扉１は、金属とプラスチックで形成された角形の薄容器２１、発泡硬化させた断熱材（図示省略）、及び断熱材を隠蔽する内板２２からなる扉体２と、内板２２の背面側（図２の左方側）に固定され庫内方向に突出された金属製の一対の支持枠３と、内板２２に取り付けられたガスケット４と、一対の支持枠３に保持され扉体を進退させることで上記庫内に出し入れされる上面が開放されたプラスチック製の収納ケース５と、一対の支持枠３の庫内奥側端部相互を連結する連結棒６と、支持枠３に対して回動可能に支持され冷蔵庫本体の庫内側に設けられたレール（図示せず）内を回動する可動ローラ７などにより構成されている。
【００１０】
支持枠３は庫内側に設けられた固定ローラ（図示せず）にも係合され、引出し扉１は冷蔵庫の庫内に対して、軽い力で滑らかに出し入れ出来るように取り付けられている。該支持枠３は内板２２にネジ等の固定手段（図示省略）で固定され、収納ケース５が扉体２と一体に移動するよう該収納ケース５を扉体２に固定する役目を有している。収納ケース５は、正面（図２の右方側）から見て左右の両側壁５１、５２の上端部及び奥壁５３の上端部にそれぞれフランジ部５１ａ、５２ａ、５３ａが形成され、前壁５４の上端部にはフランジ部が形成されていない。そして、その前壁５４自体が扉体２の背面側に設けられた内板２２の少なくとも一部に当接し得るように形成され、無効空間が生じないように設置されている。なお、図１、図２の例では、前壁５４は中央部が上から切欠かれた切欠き部５４ｂを有する形状で、凹字状に形成されている。
【００１１】
内板２２は平面状でも良いが、この例では切欠き部５４ｂに内板２２が入り込むように収納ケース５の前壁５４の厚さ分程度、庫内方向に突出されており、その内板２２の突出部分が切欠き部５４ｂを塞ぎ、収納ケース５の前壁５４の役割を担っている。なお、切欠き範囲や形状は、収納ケース５の強度保持、及び収納ケース５内で食品（例えば野菜類、冷凍食品、液体物等）などの落下、漏洩を防止するために、前壁５４の下部と側方部を除く一部が切欠かれた形状とするのが好ましい。内板２２と収納ケース５は図１のようにネジなどで固定する必要がなく、支持枠３上に取り出し自在に保持されている。なお、収納ケース５の形状等は図１では模式的に示されており、実際の形状に近い図２とは一致していない。
【００１２】
次に、収納ケース５の引出し扉１への取り付け方法について説明する。収納ケース５は内板２２と支持枠３と連結棒６により囲まれた枠の中に入り、収納ケース５の左右側面のフランジ部５１ａ、５２ａを支持枠３に載置する。収納ケース５は、正面から見て左右方向には一対の支持枠３で固定され、前後方向には連結棒６または支持枠３との間に設けられた、図３に示すような適宜の係止手段８によって固定される。図３の係止手段８は、断面コ字形状の支持枠３の所定部に切欠部３ａを設ける一方、収納ケース５のフランジ部５１ａに凸片５１ｃを設け、収納ケース５を支持枠３に載置したときに凸片５１ｃが切欠部３ａに係合されるようにすることで、引出し扉１の出し入れによる位置ズレを防止し、収納ケース５と内板２２の位置関係を固定するようにしたものである。なお、この場合、フランジ部５１ａの凹所５１ｄが、支持枠３の上端面３ｂに係合されるように支持枠３の位置を変更する必要がある。
【００１３】
上記前壁５４の上端部にフランジ部を設けないことや、前壁５４に切欠き部５４ｂを設けたことによる収納ケース５の剛性低下については、この実施の形態１では図４に示すような収納ケース５の撓みを抑制する係合手段９が設けられている。係合手段９は収納ケース５の底面５５を支持し得るように内板２２から庫内方向に突出された凸部２２ａと、収納ケース５の底面５５に設けられた凸部２２ａとの係合面５５ａ（この例では底面５５自体）から構成されている。収納ケース５に食品などを貯蔵した場合、食品などの荷重により、収納ケース５の撓みが生じる。内板２２に設けた凸部２２ａにより、収納ケース５の底面５５の係合面５５ａを保持するように形成したことで、収納ケース５の撓みが抑制される。
【００１４】
上記のように構成された実施の形態１においては、収納ケース５の前壁５４の上端部にフランジ部を設けないで、前壁５４が、扉体２を構成する背面側の内板２２に直接的に当接し得るようにしたので、収納ケース５と扉体２との間の無効空間を実質的に無くすことができる。このため、その無効空間の分を例えば収納容積の拡大、断熱材の厚みの増加による断熱性能の向上、あるいは冷蔵庫の小型化に活用できる。また、断熱性能の向上は省エネルギーにも繋がる。なお、収納ケース５は前壁５４の上端部にフランジ部が無く、しかも大きな切欠き部５４ｂが設けられているので、清掃時等に該収納ケース５を支持枠３から外した場合には、撓む量が大きくなるものの、引出し扉１として組み立てたときは左右の支持枠３、及び係合手段９によって保持され、また凸片５１ｃと切欠部３ａなどによって形成される係止手段８によって移動が規制されているので、収納ケース５の撓みが抑制され、位置ずれも防止できる。
【００１５】
また、収納ケース５は、左右の支持枠３、連結棒６、及び内板２２によって形成された４角形の枠の中に上から落とし込むだけで固定されるので、補強鉄板やネジなどの取り付け部品や取付作業を必要としない。そのため、生産工程での環境負荷も低減できる。また、清掃時等、収納ケース５は持ち上げるだけで取り外せるので、着脱が容易で利便性も損なわない。さらに、成形等の加工工程や組立工程も従来と同様にできるほか、前壁５４に切欠き部５４ｂを設けて内板２２に収納ケース５の前壁５４の機能を兼ねさせるようにしたので、従来重複構造となっていた前壁５４の切欠き部５４ｂに対応するプラスチック材料の使用量を削減することができ、軽量化やコスト削減の効果も得られる。
【００１６】
なお、上記図１では前壁５４の上端部にフランジ部が無く、かつ、切欠き部５４ｂを設けた場合について説明したが、切欠き部５４ｂは必ずしも設けなくても良い。その場合、上記重複構造部分のプラスチック材料が削減されるという効果は期待できなくなるものの、収納ケース５と扉体２との間の無効空間を無くしたことに伴う上記種々の効果が得られる他、前壁５４に切欠き部５４ｂを設けないことで、収納ケース５の剛性の低下を少なくできるという特徴がある。また、凸片５１ｃと切欠部３ａなどによって構成された位置ずれ防止のための係止手段８の構造や設置箇所、及び設置数などは、適宜変更できることは言うまでもない。
【００１７】
実施の形態２．
次に、この発明の実施の形態２に係る冷蔵庫について図５を参照して説明する。図において、収納ケース５の前壁５４の中心部分には四角形状の穴５４ｃが開けられている。なお、前壁５４の上端部にはフランジ部が無く、該上端部の高さは側壁５１、５２の上端部と同じレベルに形成されている。また、穴５４ｃに対応する内板２２は前壁５４の厚さ相当分だけ収納ケース５に入り込むように突出されており、その突出された部分の内板２２が収納ケース５の前壁の機能を担っている。その他の構成は実施の形態１と同様であるので説明を省略する。
【００１８】
上記のように構成された実施の形態２においては、実施の形態１と同様の効果が得られる他、穴５４ｃの上部の前壁５４が収納ケース５の左右の側壁５１、５２上部を連結しているので、収納ケース５を取り外したときの強度が高まるという効果が得られる。
【００１９】
実施の形態３．
次に、この発明の実施の形態３に係る冷蔵庫について図６を参照して説明する。図において、収納ケース５の前壁５４の上端部には前面フランジ部５４ａが前方に突出するように設けられ、内板２２には、収納ケース５を図示されていない支持枠３に載せたときの高さに、上記前面フランジ部５４ａを受け入れると同時に、収納ケース５の重力方向の変位を支持し得る凹部２２ｂが設けられている。なお、前壁５４は、図１のような切欠き部５４ｂ、あるいは図２のような穴５４ｃが設けられていても良い他、側壁５１、５２や奥壁５３と同様に全面が壁となっていても良い。
【００２０】
上記のように構成された実施の形態３においては、前壁５４と内板２２との間の無効空間を無くすことができると同時に、内板２２に形成された凹部２２ｂで前面フランジ部５４ａを介して収納ケース５の前方部分の荷重を支える構造により、収納ケース５の撓みをより確実に抑制することができる。さらに、収納ケース５の前側底部と内板２２との間に実施の形態１、２のような係合手段９を設け、該係合手段９と併用することで、収納ケース５の変形や撓み防止効果をさらに高めることができる。なお、前面フランジ部５４ａは小型のものでも上記効果を高められるので、凹部２２ｂも少ない寸法で良く、断熱性能への影響は無視できる。
【００２１】
実施の形態４．
次に、この発明の実施の形態４に係る冷蔵庫について図７を参照して説明する。図において、係合手段９は、内板２２の突部２２ａの上面の突出方向中央部に設けられた円筒状の突起２２ｃと、収納ケース５の底面５５に形成された上記突起２２ｃを受け入れる丸穴状の係り部５５ｂからなる係止部９１を有している。その他の構成は実施の形態１、２または３と同様である。
【００２２】
上記のように構成された実施の形態４においては、係合手段９を構成する突部２２ａが収納ケース５の前方部の重力方向の荷重を支えると共に、係止部９１が収納ケース５の前後方向及び左右方向の移動ないしは偏倚を規制するので、食品などの荷重による収納ケース５の撓み防止効果と、引出し扉１の摺動による収納ケース５の位置ズレの防止効果が一層増すという効果が得られる。
【００２３】
実施の形態５．
次に、この発明の実施の形態５に係る冷蔵庫について図８を参照して説明する。図において、引出し扉１には、支持枠３に保持された収納ケース５の更に上に載置された、収納ケース５の左右側面のフランジ部５１ａ、５２ａの上を摺動する小型の補助ケース５Ａが具備されている。その他の構成は実施の形態１、２、３、または４と同様である。
上記のように構成された場合であっても、例えば実施の形態１と同様、補強鉄板やネジなどの部品を用いて結合する必要がなく、容易に収納ケース５を着脱できる構造で、内板２２と収納ケース５の前壁５４との間の無効空間をなくすことができる。
【００２４】
なお、上記実施の形態１〜５で説明し、図示した収納ケース５や支持枠３の形状、及び支持構造、あるいは収納ケース５と内板２２の嵌合構造等は、いくつかの典型的な例に過ぎず、この発明の範囲内で種々の変形や変更が可能であることは言うまでもない。例えば、内板２２は収納ケース５に対向している全面がフラットであっても良いし、支持枠３の固定部分等の所要部分に凹部や凹所などが形成されていても差し支えない。要するに、無効空間が実質的に排除されていれば良く、前壁５４と内板２２とが任意の箇所で少なくとも一部が当接し得れば良い。
【００２５】
また、例えば装着時に前壁５４と内板２２とが密着している必要はなく、更に直接当接し得る構成のみならず、例えばクッション材など、他の構成物を介して接触し得るように構成しても同様の効果が期待できる。また、上記例示した複数の実施の形態を任意に組み合わせることもでき、冷蔵庫の設計に合わせ適宜決定すればよい。さらに、この発明を冷蔵庫の例で説明したが、冷蔵庫には冷凍冷蔵庫、及び冷凍庫などが含まれることは言うまでもない。
【符号の説明】
【００２６】
１  引出し扉、  ２  扉体、  ２２  内板、  ２２ａ  凸部、  ２２ｂ  凹部、  ２２ｃ  突起、  ３  支持枠、  ３ａ  切欠部、  ３ｂ  上端面、  ５  収納ケース、  ５Ａ  補助ケース、  ５１  側壁、  ５１ａ  フランジ部、  ５１ｃ  凸片、  ５１ｄ  凹所、  ５２  側壁、  ５２ａ  フランジ部、  ５３  奥壁、  ５３ａ  フランジ部、  ５４  前壁、  ５４ａ  前面フランジ部、  ５４ｂ  切欠き部、  ５４ｃ  穴、  ５５  底面、  ５５ａ  係合面、  ５５ｂ  係り部、  ６  連結棒、  ７  可動ローラ、  ８  係止手段、  ９  係合手段、  ９１  係止部。
【図１】
2010281542.tif 000003
【図２】
2010281542.tif 000004
【図３】
2010281542.tif 000005
【図４】
2010281542.tif 000006
【図５】
2010281542.tif 000007
【図６】
2010281542.tif 000008
【図７】
2010281542.tif 000009
【図８】
2010281542.tif 000010